(57)【特許請求の範囲】
【請求項１】
１または複数の行動パターンが予め相手先情報に関連付けられて登録されている行動パターンテーブルを記憶する記憶手段と、
携帯端末に関する所定の時間ごとの位置情報を取得する取得手段と、
リダイヤル機能の起動要求が受け付けられた場合、前記記憶手段により記憶されている前記行動パターンテーブルを参照して、前記取得手段により取得された時系列の前記位置情報から判断される現在のルートに基づいて、いずれかの行動パターンであるか否かを判定する行動パターン判定手段と、
前記行動パターンテーブルを参照して、前記行動パターン判定手段により判定された前記行動パターンにおける相手先情報の優先順位に従い、相手先情報を表示する表示手段とを備えることを特徴とする携帯端末。
【請求項２】
前記行動パターンテーブルには、少なくとも、曜日、場所またはルート、発呼時刻、発呼回数、および相手先に関する情報が関連付けられて登録されていることを特徴とする請求項１に記載の携帯端末。
【請求項３】
前記表示手段により表示されたいずれかの相手先情報への発呼処理後、前記行動パターンテーブルに登録されている前記発呼時刻および発呼回数に関する情報が更新されることを特徴とする請求項２に記載の携帯端末。
【請求項４】
リダイヤル機能の起動要求が受け付けられて相手先情報を表示する場合に、発呼時刻順に相手先情報を表示するか、または、前記行動パターンテーブルに登録されている行動パターンにおける相手先情報の優先順位に従い相手先情報を表示するかを設定する設定手段をさらに備えることを特徴とする請求項１に記載の携帯端末。
【請求項５】
前記表示手段は、前記行動パターンにおける相手先情報の優先順位に従い、相手先情報を表示するとともに、最上位の優先順位に最新の発呼時刻に対応する相手先情報を表示することを特徴とする請求項１に記載の携帯端末。
【請求項６】
１または複数の行動パターンが予め相手先情報に関連付けられて登録されている行動パターンテーブルを記憶する記憶手段と、
現在の状況を表す情報を所定の時間ごとに取得する取得手段と、
リダイヤル機能の起動要求が受け付けられた場合、前記記憶手段により記憶されている前記行動パターンテーブルを参照して、前記取得手段により取得された時系列の前記現在の状況を表す情報から判断される現在のルートに基づいて、いずれかの行動パターンであるか否かを判定する行動パターン判定手段と、
前記行動パターンテーブルを参照して、前記行動パターン判定手段により判定された前記行動パターンにおける相手先情報の優先順位に従い、相手先情報を表示する表示手段とを備えることを特徴とする携帯端末。
【発明の詳細な説明】
【技術分野】
【０００１】
本発明は携帯端末に係り、特に、リダイヤル機能を用いて、ユーザが通信したい相手を容易に検索することができるようにした携帯端末に関する。
【背景技術】
【０００２】
近年、携帯端末としての携帯電話機には、単なる通話による通信機能だけでなく、アドレス帳機能、基地局やインターネットなどのネットワークを介したメール機能や、Ｗｅｂページなどを閲覧することが可能なブラウザ機能、さらにはオーディオデータを聞くことができる音楽制御機能や、地上波ディジタルワンセグ放送波を受信することができる機能などが搭載されるようになってきている。
【０００３】
携帯電話機の基本的な機能として、例えばリダイヤル機能が知られている。リダイヤル機能を用いる場合、携帯電話機に設けられた表示部に、リダイヤルメモリに記憶されている相手先情報を表示する。このリダイヤル機能を用いることにより、ユーザは、通信したい相手を容易に検索することができる。
【０００４】
なお、リダイヤル機能に関する技術として、以下のような技術が知られている（例えば特許文献１参照）。特許文献１に提案されている技術によれば、通話履歴にかかわる相手先情報をメモリ領域に記憶するとともに、通話履歴にかかわる相手先情報のうち使用頻度の高い相手先情報を消去不可に設定し、このメモリ領域に記憶した相手先情報を表示部に表示して発呼する。これにより、指定または選択した相手に関し、それ以外の相手に以降多く発呼したとしても、リダイヤルメモリから指定または選択した相手先情報が消去されないようにすることができ、利便性を向上させることができる。
【特許文献１】国際公開ＷＯ９９／２２５０５号公報
【発明の開示】
【発明が解決しようとする課題】
【０００５】
最近の携帯電話機においては、より高精細な表示が可能で、かつ表示画面が大きいディスプレイが提案されてきており、今まで主流であったＴＦＴ（Thin Film Transistor）液晶ディスプレイの他に、例えば有機ＥＬなどに代表される高輝度デバイスをディスプレイとして用いたものも普及しつつある。ところが、ディスプレイの表示画面が大きくなりつつあるとはいっても、表示画面の大きさに制限がある場合、表示画面上に一度に表示することが可能な相手先情報の件数には依然として限界があり、多くの相手先情報を表示しようとすると、ユーザは表示画面をスクロールして所望の相手先情報を検索しなければならないという課題があった。
【０００６】
勿論、表示画面に表示可能な相手先情報の件数を増加させるために、表示画面上に表示される文字を小さくすることも可能であるが、高齢者などにとって相手先情報が見にくくなってしまう。また、表示画面自体を大きくすることも可能であるが、表示画面を大きくするにつれて携帯電話機の筐体そのものも大きくなってしまい、表示画面自体を大きくすることにも限界がある。
【０００７】
本発明は、このような状況に鑑みてなされたものであり、ユーザの使い勝手を損なわずに、ユーザが通信したい相手を効率的に、かつ簡単に検索することができる携帯端末を提供することを目的とする。
【課題を解決するための手段】
【０００８】
本発明の携帯端末は、上述した課題を解決するために、１または複数の行動パターンが予め相手先情報に関連付けられて登録されている行動パターンテーブルを記憶する記憶手段と、携帯端末に関する所定の時間ごとの位置情報を取得する取得手段と、リダイヤル機能の起動要求が受け付けられた場合、前記記憶手段により記憶されている前記行動パターンテーブルを参照して、前記取得手段により取得された時系列の前記位置情報から判断される現在のルートに基づいて、いずれかの行動パターンであるか否かを判定する行動パターン判定手段と、前記行動パターンテーブルを参照して、前記行動パターン判定手段により判定された前記行動パターンにおける相手先情報の優先順位に従い、相手先情報を表示する表示手段とを備えることを特徴とする。
【０００９】
本発明の携帯端末は、上述した課題を解決するために、１または複数の行動パターンが予め相手先情報に関連付けられて登録されている行動パターンテーブルを記憶する記憶手段と、現在の状況を表す情報を所定の時間ごとに取得する取得手段と、リダイヤル機能の起動要求が受け付けられた場合、前記記憶手段により記憶されている前記行動パターンテーブルを参照して、前記取得手段により取得された時系列の前記現在の状況を表す情報から判断される現在のルートに基づいて、いずれかの行動パターンであるか否かを判定する行動パターン判定手段と、前記行動パターンテーブルを参照して、前記行動パターン判定手段により判定された前記行動パターンにおける相手先情報の優先順位に従い、相手先情報を表示する表示手段とを備えることを特徴とする。
【発明の効果】
【００１０】
本発明によれば、ユーザの使い勝手を損なわずに、ユーザが通信したい相手を効率的に、かつ簡単に検索することができる。
【発明を実施するための最良の形態】
【００１１】
以下、本発明の実施の形態について、図面を参照しながら説明する。図１は、本発明に係る情報処理装置として適用可能な携帯電話機１の外観の構成を表している。なお、図１（Ａ）は、携帯電話機１を約１８０度に見開いたときの正面から見た外観の構成を表しており、図１（Ｂ）は、携帯電話機１を見開いたときの側面から見た外観の構成を表している。
【００１２】
図１（Ａ）および（Ｂ）に示されるように、携帯電話機１は、中央のヒンジ部１１を境に第１の筐体１２と第２の筐体１３とがヒンジ結合されており、ヒンジ部１１を介して矢印Ｘ方向に折り畳み可能に形成される。携帯電話機１の内部の所定の位置には、送受信用のアンテナ（後述する図３のアンテナ３１）が設けられており、内蔵されたアンテナを介して基地局（図示せず）との間で電波を送受信する。
【００１３】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いて各種指示を入力することができる。
【００１４】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられたメインディスプレイ１７に表示されている電話帳リストや電子メールのスクロール動作、簡易ホームページのページ捲り動作および画像の送り動作などの種々の動作を実行する。
【００１５】
また、確定キーを押下することにより、種々の機能を確定することができる。例えば第１の筐体１２は、ユーザによる十字キーの操作に応じてメインディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００１６】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。
【００１７】
また、第１の筐体１２には、操作キー１４の下部にマイクロフォン１５が設けられており、マイクロフォン１５によって通話時のユーザの音声を集音する。さらに、第１の筐体１２には、携帯電話機１の操作を行うサイドキー１６が設けられている。
【００１８】
なお、第１の筐体１２は、背面側に図示しない電池パックが挿着されており、終話・電源キーがオン状態になると、電池パックから各回路部に対して電力が供給されて動作可能な状態に起動する。
【００１９】
一方、第２の筐体１３には、その正面にメインディスプレイ１７が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図２のＣＣＤカメラ２０）で撮像した画像、外部のコンテンツサーバ（図示せず）より受信したコンテンツ、メモリカード（後述する図３のメモリカード４６）に記憶されているコンテンツを表示することができる。また、メインディスプレイ１７の上部の所定の位置にはレシーバ（受話器）１８が設けられており、これにより、ユーザは音声通話することが可能である。なお、携帯電話機１の所定の位置には、レシーバ１８以外の音声出力部としてのスピーカ（図３のスピーカ５０）も設けられている。
【００２０】
また、第１の筐体１２と第２の筐体１３の内部の所定の位置には、携帯電話機１の状態を検知するための磁気センサ１９a、１９b、１９c、および１９dが設けられる。なお、メインディスプレイ１７は、例えば有機ＥＬにより構成されるディスプレイでもよいし、液晶ディスプレイ（Liquid Crystal Display）でもよい。
【００２１】
図２は、本発明に係る情報処理装置として適用可能な携帯電話機１の他の外観の構成を表している。図２の携帯電話機１の状態は、図１の携帯電話機１の状態から矢印Ｘ方向に回動させた状態である。なお、図２（Ａ）は、携帯電話機１を閉じたときの正面から見た外観の構成を表しており、図２（Ｂ）は、携帯電話機１を閉じたときの側面から見た外観の構成を表している。
【００２２】
第２の筐体１３の上部には、ＣＣＤカメラ２０が設けられており、これにより、所望の撮影対象を撮像することができる。ＣＣＤカメラ２０の下部には、サブディスプレイ２１が設けられており、現在のアンテナの感度のレベルを示すアンテナピクト、携帯電話機１の現在の電池残量を示す電池ピクト、現在の時刻などが表示される。
【００２３】
図３は、本発明に係る情報処理装置に適用可能な携帯電話機１の内部の構成を表している。図示せぬ基地局から送信されてきた無線信号は、アンテナ３１で受信された後、アンテナ共用器（ＤＵＰ）３２を介して受信回路（ＲＸ）３３に入力される。受信回路３３は、受信された無線信号を周波数シンセサイザ（ＳＹＮ）３４から出力された局部発振信号とミキシングして中間周波数信号に周波数変換（ダウンコンバート）する。そして、受信回路３３は、このダウンコンバートされた中間周波数信号を直交復調して受信ベースバンド信号を出力する。なお、周波数シンセサイザ３４から発生される局部発振信号の周波数は、制御部４１から出力される制御信号ＳＹＣによって指示される。
【００２４】
受信回路３３からの受信ベースバンド信号は、ＣＤＭＡ信号処理部３６に入力される。ＣＤＭＡ信号処理部３６は、図示せぬＲＡＫＥ受信機を備える。このＲＡＫＥ受信機では、受信ベースバンド信号に含まれる複数のパスがそれぞれの拡散符号（すなわち、拡散された受信信号の拡散符号と同一の拡散符号）で逆拡散処理される。そして、この逆拡散処理された各パスの信号は、位相が調停された後、コヒーレントＲａｋｅ合成される。Ｒａｋｅ合成後のデータ系列は、デインタリーブおよびチャネル復号（誤り訂正復号）が行われた後、２値のデータ判定が行われる。これにより、所定の伝送フォーマットの受信パケットデータが得られる。この受信パケットデータは、圧縮伸張処理部３７に入力される。
【００２５】
圧縮伸張処理部３７は、ＤＳＰ（Digital Signal Processor）などにより構成され、ＣＤＭＡ信号処理部３６から出力された受信パケットデータを図示せぬ多重分離部によりメディアごとに分離し、分離されたメディアごとのデータに対してそれぞれ復号処理を行う。例えば通話モードにおいては、受信パケットデータに含まれる通話音声などに対応するオーディオデータをスピーチコーデックにより復号する。また、例えばテレビ電話モードなどのように、受信パケットデータに動画像データが含まれていれば、この動画像データをビデオコーデックにより復号する。さらに、受信パケットデータがダウンロードコンテンツであれば、このダウンロードコンテンツを伸張した後、伸張されたダウンロードコンテンツを制御部４１に出力する。
【００２６】
復号処理により得られたディジタルオーディオ信号はＰＣＭコーデック３８に供給される。ＰＣＭコーデック３８は、圧縮伸張処理部３７から出力されたディジタルオーディオ信号をＰＣＭ復号し、ＰＣＭ復号後のアナログオーディオデータ信号を受話増幅器３９に出力する。このアナログオーディオ信号は、受話増幅器３９にて増幅された後、レシーバ１８により出力される。
【００２７】
圧縮伸張処理部３７によりビデオコーデックにて復号されたディジタル動画像信号は、制御部４１に入力される。制御部４１は、圧縮伸張処理部３７から出力されたディジタル動画像信号に基づく動画像を、図示せぬビデオＲＡＭ（例えばＶＲＡＭなど）を介してメインディスプレイ１７に表示させる。なお、制御部４１は、受信された動画像データだけでなく、ＣＣＤカメラ２０により撮像された動画像データに関しても、図示せぬビデオＲＡＭを介してメインディスプレイ１７に表示させることも可能である。
【００２８】
また、圧縮伸張処理部３７は、受信パケットデータが電子メールである場合、この電子メールを制御部４１に供給する。制御部４１は、圧縮伸張処理部３７から供給された電子メールを記憶部４２に記憶させる。そして、制御部４１は、ユーザによる入力部としての操作キー１４の操作に応じて、記憶部４２に記憶されているこの電子メールを読み出し、読み出された電子メールをメインディスプレイ１７に表示させる。
【００２９】
一方、通話モードにおいて、マイクロフォン１５に入力された話者（ユーザ）の音声信号（アナログオーディオ信号）は、送話増幅器４０により適正レベルまで増幅された後、ＰＣＭコーデック３８によりＰＣＭ符号化される。このＰＣＭ符号化後のディジタルオーディオ信号は、圧縮伸張処理部３７に入力される。また、ＣＣＤカメラ２０から出力される動画像信号は、制御部４１によりディジタル化されて圧縮伸張処理部３７に入力される。さらに、制御部４１にて作成されたテキストデータである電子メールも、圧縮伸張処理部３７に入力される。
【００３０】
圧縮伸張処理部３７は、ＰＣＭコーデック３８から出力されたディジタルオーディオ信号を所定の送信データレートに応じたフォーマットで圧縮符号化する。これにより、オーディオデータが生成される。また、圧縮伸張処理部３７は、制御部４１から出力されたディジタル動画像信号を圧縮符号化して動画像データを生成する。そして、圧縮伸張処理部３７は、これらのオーディオデータや動画像データを図示せぬ多重分離部で所定の伝送フォーマットに従って多重化した後にパケット化し、パケット化後の送信パケットデータをＣＤＭＡ信号処理部３６に出力する。なお、圧縮伸張処理部３７は、制御部４１から電子メールが出力された場合にも、この電子メールを送信パケットデータに多重化する。
【００３１】
ＣＤＭＡ信号処理部３６は、圧縮伸張処理部３７から出力された送信パケットデータに対し、送信チャネルに割り当てられた拡散符号を用いてスペクトラム拡散処理を施し、スペクトラム拡散処理後の出力信号を送信回路（ＴＸ）３５に出力する。送信回路３５は、スペクトラム拡散処理後の信号をＱＰＳＫ（Quadrature Phase Shift Keying）方式などのディジタル変調方式を使用して変調する。送信回路３５は、ディジタル変調後の送信信号を、周波数シンセサイザ３４から発生される局部発振信号と合成して無線信号に周波数変換（アップコンバート）する。そして、送信回路３５は、制御部４１により指示される送信電力レベルとなるように、このアップコンバートにより生成された無線信号を高周波増幅する。この高周波増幅された無線信号は、アンテナ共用器３２を介してアンテナ３１に供給され、このアンテナ３１から図示せぬ基地局に向けて送信される。
【００３２】
また、携帯電話機１は、外部メモリインタフェース４５を備えている。この外部メモリインタフェース４５は、メモリカード４６を着脱することが可能なスロットを備えている。メモリカード４６は、ＮＡＮＤ型フラッシュメモリカードやＮＯＲ型フラッシュメモリカードなどに代表されるフラッシュメモリカードの一種であり、１０ピン端子を介して画像や音声、音楽等の各種データの書き込み及び読み出しが可能となっている。さらに、携帯電話機１には、現在の正確な現在の時刻を測定する時計回路（タイマ）４７が設けられている。
【００３３】
制御部４１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４２からＲＡＭにロードされた、オペレーティングシステム（ＯＳ）を含む各種のアプリケーションプログラムに従って各種の処理を実行するとともに、種々の制御信号を生成し、各部に供給することにより携帯電話機１を統括的に制御する。ＲＡＭは、ＣＰＵが各種の処理を実行する上において必要なデータなどを適宜記憶する。
【００３４】
記憶部４２は、例えば、電気的に書換えや消去が可能な不揮発性メモリであるフラッシュメモリ素子やＨＤＤ（Hard Disc Drive）などからなり、制御部４１のＣＰＵにより実行される種々のアプリケーションプログラムや種々のデータ群を格納している。電源回路４４は、電池４３の出力を基に所定の動作電源電圧Ｖｃｃを生成して各回路部に供給する。電池４３は図示しない保護回路などを含めて電池パックを構成する。
【００３５】
また、地上波ディジタルワンセグ受信部４８は、図示せぬ放送局からの地上波ディジタルワンセグ放送波や地上波ディジタルラジオ放送波を受信し、受信された地上波ディジタルワンセグ放送波や地上波ディジタルラジオ放送波に基づくＴＳ（Transport Stream）信号を地デジ処理部４９に供給する。地デジ処理部４９は、地上波ディジタルワンセグ受信部４８にて地上波ディジタルワンセグ放送波が受信された場合、地上波ディジタルワンセグ受信部４８からの地上波ディジタルワンセグ放送波に基づくＴＳ信号から、音声データと映像データに関するＥＳ（Elementary Stream）にそれぞれ分離し、分離された音声データを地デジ処理部４９内の音声デコーダ（図示せず）にて所定の復号化方式でデコードするとともに、分離された映像データを地デジ処理部４９内の映像デコーダ（図示せず）にて所定の復号化方式でデコードし、デコード後のディジタル音声信号とディジタル動画像信号を制御部４１に供給する。
【００３６】
無線ＬＡＮ通信部５１は、内蔵されたアンテナ（図示せず）を介して、ＩＥＥＥ８０２．１１ａ／ｂ／ｇなどの所定の規格に準拠した無線ＬＡＮ通信を行う。非接触ＩＣチップ５２は、携帯電話機１がＩＣリーダ／ライタ（図示せず）に近接され、そのＩＣリーダ／ライタ（図示せず）から輻射される電磁波を受信したとき、それに応じて、各種の情報を用いてＩＣリーダ／ライタ（図示せず）と無線通信を行う。
【００３７】
また、図示せぬＧＰＳ衛星からのＧＰＳ波（ＧＰＳ情報）は、ＧＰＳ用アンテナ５３で受信される。このＧＰＳ情報には、例えばそれぞれのＧＰＳ衛星からの発信時刻情報が含まれている。その後、このＧＰＳ情報はＣＤＭＡ信号処理部３６を経由して制御部４１に入力される。そして、制御部４１にて、取得されたＧＰＳ情報を用いて、携帯電話機１の現在地を示す位置情報（緯度経度の情報）が計算され（例えば３つ乃至４つのＧＰＳ情報から計算することが望ましい）、携帯電話機１の現在地を示す位置情報が求められる。なお、このＧＰＳ情報に基づいて求められる位置情報として緯度経度を取得することが一般的であるが、更に緯度経度に対応した住所情報を取得するようにしてもよい。なお、緯度経度に対応した住所情報を取得する際には、外部のサーバ（図示せず）などにアクセスして住所情報を得るようにしてもよい。従って、「ＧＰＳ測位に基づく位置情報」とはＧＰＳ情報から計算された位置情報（例えば緯度経度情報）や、その情報に対応する住所情報などの情報も含むものとする。
【００３８】
従来のリダイヤル機能を用いた場合、図４（Ａ）に示される表示画面上にて相手先情報としての「Ｄさん」が選択されて発呼動作されると、「Ｄさん」は新しい発呼先ではないため、通話終了後、図４（Ａ）に示される表示画面は図４（Ｂ）に示される表示画面に遷移し、相手先情報としての「Ｄさん」がすべての相手先情報の中で優先度１位に位置付けられるとともに、それに伴い、他の相手先情報は優先度が１つずつ下げられる。これにより、発呼動作を開始した時刻がより最近の相手先に関する情報を優先的に並び替えて表示し、再発呼を簡単に行うことが可能となる。一方、発呼した相手先に関する情報がリダイヤルメモリに記憶されていない場合、通話終了後、図４（Ｃ）に示されるように、新しい発呼先として、相手先情報としての「Ｘさん」がすべての相手先情報の中で優先度１位に位置付けられて表示されるとともに、それに伴い、他の相手先情報は優先度が１つずつ下げられる。
【００３９】
最近の携帯電話機１においては、より高精細な表示が可能で、かつ表示画面が大きいディスプレイが提案されてきている。しかし、ディスプレイの表示画面が大きくなりつつあるとはいっても、表示画面の大きさに制限がある場合、表示画面上に一度に表示することが可能な相手先情報の件数には依然として限界があり、多くの相手先情報を表示しようとすると、ユーザは表示画面をスクロールして所望の相手先情報を検索しなければならない。勿論、表示画面に表示可能な相手先情報の件数を増加させるために、表示画面上に表示される文字を小さくすることも可能であるが、高齢者などにとって相手先情報が見にくくなってしまう。また、表示画面自体を大きくすることも可能であるが、表示画面を大きくするにつれて携帯電話機１の筐体そのものも大きくなってしまい、表示画面自体を大きくすることにも限界がある。
【００４０】
そこで、リダイヤル機能を用いる場合、再発呼する時刻だけでなく、再発呼する場所や、再発呼するまでのユーザの行動パターンなどに基づいて、ユーザの行動パターンなどに最適な相手先の検索を行って表示するようにする。これにより、ユーザの使い勝手を損なわずに、ユーザが通信したい相手を効率的に、かつ簡単に検索することができる。以下、この方法を用いたリダイヤル表示処理について説明する。
【００４１】
図５のフローチャートを参照して、図３の携帯電話機１におけるリダイヤル表示処理について説明する。
【００４２】
ステップＳ１において、制御部４１は、ユーザにより操作キー１４のうちの例えばリダイヤルキーが押下されることにより、リダイヤル機能の起動要求を受け付けたか否かを判定し、リダイヤル機能の起動要求を受け付けたと判定するまで待機する。ステップＳ１において制御部４１が、リダイヤル機能の起動要求を受け付けたと判定した場合、制御部４１はステップＳ２で、リダイヤル機能が予め便利リダイヤル機能に設定されているか否かを判定する。
【００４３】
ステップ２において制御部４１が、リダイヤル機能が予め便利リダイヤル機能に設定されていないと判定した場合、制御部４１はステップＳ３で、記憶部４２のリダイヤルメモリ領域に記憶されている発呼時刻情報および相手先情報を読み出し、メインディスプレイ１７を制御し、読み出された発呼時刻情報および相手先情報に基づいて、発呼時刻順にリダイヤル表示させる。メインディスプレイ１７は、制御部４１の制御に従い、発呼時刻順に相手先情報をリダイヤル表示する。例えば図６（Ａ）に示されるように、「３／６  Ａさん」、「３／５  自宅」、「３／５  ０３−＊＊＊−＊＊＊＊」、「３／４  Ｂさん」、…などのように、発呼時刻情報および相手先情報が発呼時刻順にリダイヤル表示される。
【００４４】
ステップＳ４において、制御部４１は、ユーザにより操作キー１４が操作されることにより、メインディスプレイ１７上にリダイヤル表示される複数の相手先情報の中からいずれかの相手先情報の選択を受け付ける。例えば図６（Ａ）に示される相手先情報の中から、「Ａさん」の選択が受け付けられる。ステップＳ５において、制御部４１は、ユーザにより操作キー１４のうちの発呼キーが押下されると、アンテナ３１、送信回路３３、およびＣＤＭＡ信号処理部３６などを介して、選択された相手先情報に基づいてその相手先に対して発呼する（発呼信号を発信して回線を接続する）。
【００４５】
ステップＳ６において、制御部４１は、発呼処理後、発呼された相手先情報および発呼時刻情報に基づいて、記憶部４２のリダイヤルメモリ領域に記憶されている発呼時刻情報および相手先情報を更新する。例えば図６（Ａ）に示される相手先情報の中から「Ａさん」が選択され、発呼処理された場合、記憶部４２のリダイヤルメモリ領域に記憶されている発呼時刻情報および相手先情報が更新され、最上位の「Ａさん」に関する発呼時刻情報が例えば「３／２１」のように更新される。その後、再度リダイヤル機能の起動要求があり、発呼時刻順にリダイヤル表示すると、図６（Ｄ）に示されるようにリダイヤル表示される。
【００４６】
その後、処理はステップＳ１に戻り、ステップＳ１以降の処理が繰り返し実行される。
【００４７】
一方、ステップＳ２において制御部４１が、リダイヤル機能が予め便利リダイヤル機能に設定されていると判定した場合、制御部４１はステップＳ７で、ＧＰＳ機能を起動し、ＧＰＳ用アンテナ５３を用いて、図示せぬＧＰＳ衛星からのＧＰＳ波（ＧＰＳ情報）を受信させる。このＧＰＳ情報には、例えばそれぞれのＧＰＳ衛星からの発信時刻情報が含まれている。制御部４１は、取得されたＧＰＳ情報を用いて、携帯電話機１の現在地を示す位置情報（緯度経度の情報）を計算し、携帯電話機１の現在地を示す位置情報を求め、ＧＰＳ測位に基づく位置情報と時刻情報とを関連付けて取得する。なお、ＧＰＳ波に基づく位置情報に限られず、例えば基地局からの携帯電話機１に送信される基地局位置情報（エリアコード）を用いるようにしてもよい。また、ＧＰＳ測位に基づく位置情報と時刻情報を、予め設定された所定の時間（例えば１時間や２時間など）ごとに取得するようにしておき、取得されたＧＰＳ測位に基づく位置情報と時刻情報とを時系列的に記憶部４２に記憶しておくようにしてもよい。
【００４８】
ステップＳ８において、制御部４１は、記憶部４２に記憶されている行動パターン履歴テーブルを読み出す。図７は、記憶部４２に記憶されている行動パターン履歴テーブルの構成例を示している。例えば図７に示されるように、行動パターン１、行動パターン２、…に示される複数の行動パターンが相手先情報と関連付けられて登録されている。行動パターン１の場合、「日曜日」に「公園」近傍にて発呼された相手先情報が関連付けて登録されており、特に発呼回数が多い順に相手先情報が登録されている。具体的には、発呼時刻「３／１  １０：００」、発呼回数「１５回」、および相手先「Ｄさん」が最上位の優先度で登録されている。また、発呼時刻「３／３  ２１：０５」、発呼回数「１３回」、および相手先「Ｃさん」が第２位の優先度で登録されている。以下、同様である。
【００４９】
ステップＳ９において、制御部４１は、読み出された行動パターン履歴テーブルを参照して、取得されたＧＰＳ測位に基づく位置情報および時刻情報に基づいて、携帯電話機１を保有するユーザの行動パターンを判定する。例えばＧＰＳ測位に基づく位置情報が「公園」近傍であり、かつ、現在の曜日が「日曜日」である場合、制御部４１は、携帯電話機１を保有するユーザの行動パターンは行動パターン履歴テーブルに登録されている「行動パターン１」であると判定する。また、例えばＧＰＳ測位に基づく現在の位置情報が「会社」近傍で、そのルートが「帰宅中」であり、かつ、現在の曜日が「金曜日」である場合、制御部４１は、携帯電話機１を保有するユーザの行動パターンは行動パターン履歴テーブルに登録されている「行動パターン２」であると判定する。なお、ルートに関しては、記憶部４２に記憶されている時系列的なＧＰＳ測位に基づく位置情報と時刻情報とに基づいて判断される。例えばユーザが現在いる場所と時刻などから、ルートが「通勤中」や「スポーツジム通い中」などと判断される。
【００５０】
ステップＳ１０において、制御部４１は、ステップＳ６における判定結果に基づいて、携帯電話機１を保有するユーザの行動パターンに応じて相手先情報を並び替えてメインディスプレイ１７にリダイヤル表示させる。メインディスプレイ１７は、制御部４１の制御に従い、携帯電話機１を保有するユーザの行動パターンに応じて相手先情報を並び替えてリダイヤル表示する。例えば携帯電話機１を保有するユーザの行動パターンが「行動パターン１」であると判定された場合、例えば図６（Ａ）に示される発呼時刻順の相手先情報は図６（Ｂ）に示されるように並び替えられ、「３／１  Ｄさん」、「３／３  Ｃさん」、「３／１  妻」、「３／４  Ｂさん」、「３／５  自宅」…などのように、発呼時刻情報および相手先情報が「行動パターン１」の優先度順にリダイヤル表示される。このとき、メインディスプレイ１７に表示される表示画面の上部には、「行動パターン１」を示す「日曜日、公園」のテキストが表示される。
【００５１】
また、例えば携帯電話機１を保有するユーザの行動パターンが「行動パターン２」であると判定された場合、例えば図６（Ａ）に示される発呼時刻順の相手先情報は図６（Ｃ）に示されるように並び替えられ、「３／５  妻」、「３／４  自宅」、「３／４  会社」、「３／６  Ａさん」、「３／４  Ｂさん」…などのように、発呼時刻情報および相手先情報が「行動パターン２」の優先度順にリダイヤル表示される。このとき、メインディスプレイ１７に表示される表示画面の上部には、「行動パターン２」を示す「金曜日、帰宅中」のテキストが表示される。なお、より下位の表示領域に、「行動パターン２」以外の他の行動パターンに関連付けられて登録されている相手先情報を表示するようにしてもよいし、また、発呼時刻順に相手先情報を表示するようにしてもよい。
【００５２】
これにより、単なる発呼時刻順のリダイヤル表示だけでなく、携帯電話機１を保有するユーザの行動パターンに応じて、そのときに好適な相手先情報を並び替えてリダイヤル表示することができる。
【００５３】
その後、処理はステップＳ１１に進み、ステップＳ１１において、制御部４１は、ユーザにより操作キー１４が操作されることにより、メインディスプレイ１７上にリダイヤル表示される複数の相手先情報の中からいずれかの相手先情報の選択を受け付ける。ステップＳ１２において、制御部４１は、ユーザにより操作キー１４のうちの発呼キーが押下されると、アンテナ３１、送信回路３３、およびＣＤＭＡ信号処理部３６などを介して、選択された相手先情報に基づいてその相手先に対して発呼する。
【００５４】
ステップＳ１３において、制御部４１は、発呼処理後、発呼された相手先情報および発呼時刻情報に基づいて、記憶部４２に記憶されている行動パターン履歴テーブルを更新する。例えば図６（Ｂ）に示される相手先情報の中から「Ｄさん」が選択され、発呼処理された場合、記憶部４２に記憶されている行動パターン履歴テーブルが図８に示されるように更新され、最上位の「Ｄさん」に関する発呼時刻情報が例えば「３／２１  １０：０２」のように更新され、発呼回数が「１６回」のように更新される。
【００５５】
その後、処理はステップＳ１に戻り、ステップＳ１以降の処理が繰り返し実行される。
【００５６】
本発明の実施形態においては、携帯電話機に関する位置情報を取得し、リダイヤル機能の起動要求が受け付けられた場合、１または複数の行動パターンが予め登録されている行動パターン履歴テーブルを参照して、前記取得手段により取得された前記位置情報に基づいて、いずれかの行動パターンであるか否かを判定し、行動パターン履歴テーブルを参照して、判定された行動パターンにおける相手先情報の優先順位に従い、発呼時刻順の相手先情報を並び替えて相手先情報を表示することができる。
【００５７】
これにより、リダイヤル機能を用いる場合、再発呼する時刻だけでなく、再発呼する場所や、再発呼するまでのユーザの行動パターンなどに基づいて、ユーザの行動パターンなどに最適な相手先の検索を行って表示するようにする。従って、表示画面の大きさに制限がある場合、表示画面上に一度に表示することが可能な相手先情報の件数に限界があったとしても、ユーザは、表示画面をスクロールしなくても、または少ないスクロールで、そのときに好適な所望の相手先情報を検索することができる。その結果、ユーザの使い勝手を損なわずに、ユーザが通信したい相手を効率的に、かつ簡単に検索することができ、リダイヤル表示する際の利便性を向上させることができる。
【００５８】
なお、表示面積の小さい表示画面のディスプレイにおいては、大きい文字による相手先情報のリダイヤル表示を行うようにしてもよい。
【００５９】
また、相手先情報をリダイヤル表示する場合に、行動パターンに応じて並び替えて相手先情報をリダイヤル表示した後、ユーザにより操作キー１４のうちの特定のキーが操作されることで、発呼時刻順に相手先情報をリダイヤル表示するように切り替えてもよい。
【００６０】
さらに、図５のステップＳ１０に示されるリダイヤル表示の場合、例えば図６（Ｂ）または（Ｃ）に示されるように、判定された行動パターンに応じて相手先情報を並び替えてリダイヤル表示するようにしているが、このような場合に限られない。例えばリダイヤル機能の起動要求が受け付けられた同日に発呼された最新の相手先情報に関しては、判定された行動パターンに関わらず、最上位の優先度でリダイヤル表示するようにしてもよい。具体的には、図９（Ａ）に示される発呼時刻順のリダイヤル表示を、例えば図９（Ｂ）または（Ｃ）に示されるように、判定された行動パターンに応じて相手先情報を並び替えるとともに、最新の相手先情報に関しては最上位の優先度でリダイヤル表示する。
【００６１】
これにより、リダイヤル表示する際の利便性をより向上させることができる。
【００６２】
なお、図９（Ｃ）の場合、優先度が６位以下の相手先情報に関する文字の大きさは、上位５つの相手先情報を表示する際の文字よりも小さく設定されている。これにより、ユーザの使い勝手を考慮しつつ、リダイヤル表示の際により多くの相手先情報を表示することができる。
【００６３】
なお、ユーザの行動パターンを判定する際、ＧＰＳ測位に基づく位置情報を用いたが、このような場合に限られず、例えばユーザが非接触式ＩＣチップ５２をＩＣカードとして用いている場合に、例えば会社の入出管理情報や、支払をした店の名前、交通機関の入出情報などが非接触式ＩＣチップ５２に保存されていることから、この情報に基づいて、ユーザの行動パターンを判定するようにしてもよいし、この機能が携帯電話に組み込まれていればこれを用いても良い。勿論、携帯電話機１の目覚し機能が用いられている場合、設定されている目覚まし設定時間を用いて現在ユーザが自宅にいるのか否かを判断するようにしてもよい。
【００６４】
また、本発明の実施形態においては、発呼に関するリダイヤル表示について明示的に記載したが、このような場合に限られず、例えばメールの通信履歴表示において本発明を適用するようにしてもよい。
【００６５】
なお、本発明は、携帯電話機１以外にも、ＰＤＡ（Personal Digital Assistant）、パーソナルコンピュータ、携帯型ゲーム機、携帯型音楽再生機、携帯型動画再生機、その他の携帯端末にも適用することができる。
【００６６】
また、本発明の実施形態において説明した一連の処理は、ソフトウェアにより実行させることもできるが、ハードウェアにより実行させることもできる。
【００６７】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【００６８】
また、本発明の実施例では行動パターン履歴テーブルを用いて説明したが、これはメモリ上にテーブルの範囲を定義する必要は必ずしもなく、行動パターンの履歴が記憶されているか、ソフトウェアの処理により行動パターンの履歴を検索できるようになっていればよい。
【００６９】
また、位置情報はリダイヤル機能を使おうとする時刻の位置情報であることに限定されず、行動パターンが判定できる位置情報であればよい。例えば、携帯電話機１のユーザがビルの中に入ったときは携帯電話機１のＧＰＳ機能は使えなくなるが、それ以前の位置情報でも構わない。
【図面の簡単な説明】
【００７０】
【図１】本発明に係る情報処理装置に適用可能な携帯端末の外観の構成を示す図。
【図２】本発明に係る情報処理装置に適用可能な携帯端末の他の外観の構成を示す図。
【図３】本発明に係る情報処理装置に適用可能な携帯端末の内部の構成を示すブロック図。
【図４】（Ａ）乃至（Ｃ）は、従来のリダイヤル機能を用いた場合におけるリダイヤル表示の表示例を示す図。
【図５】図３の携帯端末１におけるリダイヤル表示処理を説明するフローチャート。
【図６】（Ａ）乃至（Ｄ）は、図３のメインディスプレイに表示されるリダイヤル表示の表示例を示す図。
【図７】図３の記憶部に記憶されている行動パターン履歴テーブルの構成例を示す図。
【図８】図３の記憶部に記憶されている行動パターン履歴テーブルの他の構成例を示す図。
【図９】（Ａ）乃至（Ｃ）は、図３のメインディスプレイに表示されるリダイヤル表示の表示例を示す図。
【符号の説明】
【００７１】
１…携帯電話機、１１…ヒンジ部、１２…第１の筐体、１３…第２の筐体、１４…操作キー、１５…マイクロフォン、１６…サイドキー、１７…メインディスプレイ、１８…レシーバ、１９a乃至１９d…磁気センサ、２０…ＣＣＤカメラ、２１…サブディスプレイ、３１…アンテナ、３２…アンテナ共用器（ＤＵＰ）、３３…受信回路（ＲＸ）、３４…周波数シンセサイザ（ＳＹＮ）、３５…送信回路（ＴＸ）、３６…ＣＤＭＡ信号処理部、３７…圧縮伸張処理部、３８…ＰＣＭコーデック、３９…受話増幅器、４０…送話増幅器、４１…制御部、４２…記憶部、４３…電池、４４…電源回路、４５…外部メモリインタフェース、４６…メモリカード、４７…時計回路、４８…地上波ディジタルワンセグ受信部、４９…地デジ処理部、５０…スピーカ、５１…無線ＬＡＮ通信部、５２…非接触ＩＣチップ、５３…ＧＰＳ用アンテナ。
【図１】
0005206135.tif 000002
【図２】
0005206135.tif 000003
【図３】
0005206135.tif 000004
【図４】
0005206135.tif 000005
【図５】
0005206135.tif 000006
【図６】
0005206135.tif 000007
【図７】
0005206135.tif 000008
【図８】
0005206135.tif 000009
【図９】
0005206135.tif 000010